【手続補正書】
【提出日】平成19年4月9日(2007.4.9)
【手続補正１】
【補正対象書類名】明細書
【補正対象項目名】発明の名称
【補正方法】変更
【補正の内容】
【発明の名称】画像表示装置及びその制御方法
【手続補正２】
【補正対象書類名】明細書
【補正対象項目名】特許請求の範囲
【補正方法】変更
【補正の内容】
【特許請求の範囲】
【請求項１】  ビデオ機器の接続が可能な画像表示装置であって、
表示画面上のウィンドウ表示部に前記ビデオ機器から出力される画像を表示し、
前記ウィンドウ表示部に対応する操作パネルウィンドウ表示部に前記ビデオ機器を操作するための操作パネル画像を表示するように表示部を制御する表示制御部と、
前記ウィンドウ表示部を選択する選択部と、
前記ウィンドウ表示部が選択された場合と選択されない場合とで、前記操作パネル画像の表示モードが異なるように前記表示制御部を制御する制御部とを有することを特徴とする画像表示装置。
【請求項２】  前記表示モードは、背景画像に対する不透過表示と半透過表示とからなり、
前記制御部は、前記ウィンドウ表示部が選択された場合には、前記操作パネル画像を前記不透過表示とし、選択されない場合には、前記操作パネル画像を前記半透過表示とするように前記表示制御部を制御することを特徴とする請求項１記載の画像表示装置。
【請求項３】  前記半透過表示は、前記背景画像に対する前記操作パネル画像のαブレンディング処理により行われることを特徴とする請求項２記載の画像表示装置。
【請求項４】  ビデオ機器の接続が可能な画像表示装置の制御方法であって、
表示画面上のウィンドウ表示部に前記ビデオ機器から出力される画像を表示し、
前記ウィンドウ表示部に対応する操作パネルウィンドウ表示部に前記ビデオ機器を操作するための操作パネル画像を表示するステップと、
前記ウィンドウ表示部を選択するステップと、
前記ウィンドウ表示部が選択された場合と選択されない場合とで、前記操作パネル画像の表示モードが異なるように制御するステップとを有することを特徴とする画像表示装置の制御方法。
【手続補正３】
【補正対象書類名】明細書
【補正対象項目名】０００１
【補正方法】変更
【補正の内容】
【０００１】
【発明の属する技術分野】
本発明は、複数のデジタルビデオデータが全て重なり合わずに表示される画像表示装置及びその制御方法に関する。
【手続補正４】
【補正対象書類名】明細書
【補正対象項目名】０００７
【補正方法】変更
【補正の内容】
【０００７】
本発明は、上記点に着目してなされたものであり、ユーザの意思を反映しつつ見やすい画面表示を提供することができる画像表示装置及びその制御方法を提供することを目的とする。
【手続補正５】
【補正対象書類名】明細書
【補正対象項目名】０００８
【補正方法】変更
【補正の内容】
【０００８】
【課題を解決するための手段】
上記目的を達成するために、請求項１の画像表示装置は、ビデオ機器の接続が可能な画像表示装置であって、表示画面上のウィンドウ表示部に前記ビデオ機器から出力される画像を表示し、前記ウィンドウ表示部に対応する操作パネルウィンドウ表示部に前記ビデオ機器を操作するための操作パネル画像を表示するように表示部を制御する表示制御部と、前記ウィンドウ表示部を選択する選択部と、前記ウィンドウ表示部が選択された場合と選択されない場合とで、前記操作パネル画像の表示モードが異なるように前記表示制御部を制御する制御部とを有することを特徴とする。
【手続補正６】
【補正対象書類名】明細書
【補正対象項目名】０００９
【補正方法】変更
【補正の内容】
【０００９】
請求項２の画像表示装置は、請求項１記載の画像表示装置において、前記表示モードは、背景画像に対する不透過表示と半透過表示とからなり、前記制御部は、前記ウィンドウ表示部が選択された場合には、前記操作パネル画像を前記不透過表示とし、選択されない場合には、前記操作パネル画像を前記半透過表示とするように前記表示制御部を制御することを特徴とする。
【手続補正７】
【補正対象書類名】明細書
【補正対象項目名】００１０
【補正方法】変更
【補正の内容】
【００１０】
請求項３の画像表示装置は、請求項２記載の画像表示装置において、前記半透過表示は、前記背景画像に対する前記操作パネル画像のαブレンディング処理により行われることを特徴とする。
【手続補正８】
【補正対象書類名】明細書
【補正対象項目名】００１１
【補正方法】変更
【補正の内容】
【００１１】
請求項４の画像表示装置の制御方法は、ビデオ機器の接続が可能な画像表示装置の制御方法であって、表示画面上のウィンドウ表示部に前記ビデオ機器から出力される画像を表示し、前記ウィンドウ表示部に対応する操作パネルウィンドウ表示部に前記ビデオ機器を操作するための操作パネル画像を表示するステップと、前記ウィンドウ表示部を選択するステップと、前記ウィンドウ表示部が選択された場合と選択されない場合とで、前記操作パネル画像の表示モードが異なるように制御するステップとを有することを特徴とする。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１８
【補正方法】変更
【補正の内容】
【００１８】
本発明の第１の実施の形態に係るマルチウィンドウ表示システムは、複数のデジタルビデオ機器１１（ビデオ機器）と、これらのデジタルビデオ機器１１にセットトップＢＯＸ９を介して接続され、複数のデジタルビデオ機器１１から出力される画像であるビデオウィンドウと操作パネルとを表示画面上に表示することができる高解像度大画面表示装置１とを備えている。デジタルビデオ機器１１は、圧縮されたデジタルビデオデータや操作パネル情報をデジタルシリアルバス１０を介してセットトップＢＯＸ９に送る。
【手続補正１４】
【補正対象書類名】明細書
【補正対象項目名】００１９
【補正方法】変更
【補正の内容】
【００１９】
高解像度大画面表示装置１は、ポインター２３（選択部）により選択されたデジタルビデオデータが一時拡大表示され、ポインター２３の短い軌跡７により移動方向を指示された子画面ビデオウィンドウ表示部３と、子画面ビデオウィンドウ表示部３が移動方向の指示を受けるまで最大の表示サイズで表示されていたデジタルビデオデータを一時縮小して表示する主画面ビデオウィンドウ表示部２と、子画面ビデオウィンドウ表示部３よりも表示面積の小さい子画面ビデオウィンドウ表示部４と、同様に子画面ビデオウィンドウ表示部４よりも表示面積の小さい子画面ビデオウィンドウ表示部５とを表示する。ここで、図１では、子画面ビデオウィンドウ表示部３がポインター２３により選択されたデジタルビデオデータを表示しているため拡大されているが、ポインター２３による当該選択前の子画面ビデオウィンドウ表示部３〜５と主画面ビデオウィンドウ表示部２との関係は、ポインター２３による選択時が新しい程、大きいビデオウィンドウ表示部に選択されたデジタルビデオデータが表示される。即ち、一番新しく（最近）選択されたデジタルビデオデータは主画面ビデオウィンドウ表示部２に表示され、続いて子画面ビデオウィンドウ表示部３，４，５の順に表示される。
【手続補正１５】
【補正対象書類名】明細書
【補正対象項目名】００２３
【補正方法】変更
【補正の内容】
【００２３】
セットトップＢＯＸ９は、デジタルビデオデータと操作パネル表示用グラフィックデータとを合成するマルチウィンドウ制御部１３（表示制御部）を有する。マルチウィンドウ制御部１３には、内部ビデオバス１６を介して、圧縮ビデオデータデコーダ１４、ビデオ表示用メモリ１５及び１チップマイクロコンピュータ１７（制御部）が接続されていると共に、内部システムバス２１を介して１チップマイクロコンピュータ１７及びＩ／Ｏ制御部１９が接続されている。さらに、１チップマイクロコンピュータ１７にはグラフィック表示用メモリ１８が、Ｉ／Ｏ制御部１９にはストレージデバイス２０が接続されている。
【手続補正１６】
【補正対象書類名】明細書
【補正対象項目名】００２４
【補正方法】変更
【補正の内容】
【００２４】
複数の圧縮ビデオデータデコーダ１４はＩ／Ｏ制御部１９から１チップマイクロコンピュータ１７経由で供給される圧縮されたデジタルビデオデータを非圧縮デジタルビデオデータに変換し、複数のビデオ表示用メモリ１５は各圧縮ビデオデータデコーダ１４により作業領域として使用され、作業後の非圧縮デジタルビデオデータが格納される。
【手続補正１７】
【補正対象書類名】明細書
【補正対象項目名】００３９
【補正方法】変更
【補正の内容】
【００３９】
その後、１チップマイクロコンピュータ１７はポインター２３による子画面ビデオウィンドウ表示部３の方向指示動作により不揮発性フラッシュメモリ２５に格納されている全ての表示位置情報を参照して、ポインタ２３の軌跡より推定される方向に子画面ビデオウィンドウ表示部３が移動したときの最終的な子画面ビデオウィンドウ表示部３の表示位置及び大きさを算出すると共に主画像ビデオウィンドウ表示部２及び子画面ビデオウィンドウ表示部４，５の表示位置及び大きさを算出し、これらの算出結果を不揮発性フラッシュメモリ２５に上書きする（ステップＳ１０４）。そして、不揮発性フラッシュメモリ２５に格納されたこれらの表示位置及び大きさの情報を内部システムバス２１経由でマルチウィンドウ制御部１３に設定する（ステップＳ１０５）。
【手続補正１８】
【補正対象書類名】明細書
【補正対象項目名】００４３
【補正方法】変更
【補正の内容】
【００４３】
上述したように、本発明の実施の形態によれば、ユーザの意志でポインター２３を介して選択された子画面ビデオウィンドウ表示部３が暫定的に拡大表示され、該ポインター２３による方向指示動作によって最終的な子画面ビデオウィンドウ表示部３の表示位置及び大きさが算出されると共に主画像ビデオウィンドウ表示部２及び子画面ビデオウィンドウ表示部４，５の表示位置及び大きさが算出され、高解像度大画面表示装置１の残りの表示面積から操作パネルウィンドウ表示部２４の表示位置及び大きさが決定されて、マルチウィンドウの表示が実現されるので、ユーザの意思を反映しつつ見やすい画面表示を提供することができる。また、ユーザの操作が煩雑にならない程度にウィンドウレイアウト決定にユーザの意志を反映させることができる。
【手続補正１９】
【補正対象書類名】明細書
【補正対象項目名】００４５
【補正方法】変更
【補正の内容】
【００４５】
図４において、高解像度大画面表示装置１は、ポインター２３により選択された選択ビデオウィンドウ表示部３０と、ポインター２３により選択されていない非選択ビデオウィンドウ表示部３１，３２と、選択ビデオウィンドウ表示部３０に対応する操作パネルを表示する操作パネルウィンドウ表示部３３と、非選択ビデオウィンドウ表示部３１に対応する操作パネルを背景画像に対して半透過表示する非操作パネルウィンドウ表示部３４と、非選択ビデオウィンドウ表示部３２に対応する操作パネルを背景画像に対して半透過表示する非操作パネルウィンドウ表示部３５とを表示する。
【手続補正２０】
【補正対象書類名】明細書
【補正対象項目名】００５８
【補正方法】変更
【補正の内容】
【００５８】
【発明の効果】
以上詳細に説明したように、請求項１の画像表示装置によれば、ウィンドウ表示部が選択された場合と選択されない場合とで、対応する操作パネル画像の表示モードが異なるので、ユーザの意思を反映しつつ見やすい画面表示を提供することができる。また、ユーザの操作が煩雑にならない程度にウィンドウレイアウト決定にユーザの意志を反映させることができる。
【手続補正２１】
【補正対象書類名】明細書
【補正対象項目名】００５９
【補正方法】変更
【補正の内容】
【００５９】
請求項２の画像表示装置によれば、ウィンドウ表示部が選択された場合には、対応する操作パネル画像を不透過表示とし、選択されない場合には、対応する操作パネル画像を半透過表示とするので、ユーザの意思を反映しつつ見やすい画面表示を提供することができる。また、選択されたウィンドウ表示部に対応する操作パネル画像を明確に表示することができる。
【手続補正２２】
【補正対象書類名】明細書
【補正対象項目名】００６０
【補正方法】変更
【補正の内容】
【００６０】
請求項４の画像表示装置の制御方法によれば、ウィンドウ表示部が選択された場合と選択されない場合とで、対応する操作パネル画像の表示モードが異なるので、ユーザの意思を反映しつつ見やすい画面表示を提供することができる。また、ユーザの操作が煩雑にならない程度にウィンドウレイアウト決定にユーザの意志を反映させることができる。
【手続補正２３】
【補正対象書類名】明細書
【補正対象項目名】００６１
【補正方法】削除
【補正の内容】
【手続補正２４】
【補正対象書類名】明細書
【補正対象項目名】００６２
【補正方法】削除
【補正の内容】
【手続補正２５】
【補正対象書類名】明細書
【補正対象項目名】００６３
【補正方法】削除
【補正の内容】